(57)【要約】【課題】自然災害が発生した際に活用する防災用品をよりアクセスし易く邪魔にならない場所に設置し、収納された防災用品を容易に取出し、かつ保管できる防災用品保管庫付きゴミ収集用集積庫を提供する。【解決手段】防災用品が保管された防災用品保管庫３と、ゴミ収集する開閉扉１２を前面又は上面に有するゴミ収集用集積庫２と、防災用品保管庫３をゴミ収集用集積庫２の上方で移動させる保管庫移動装置４を介して防災用品保管庫３に連結する連結部１１とを備え、防災用品保管庫３は、ゴミ収集用集積庫２が使用中の場合には、ゴミ収集用集積庫２の開閉扉１２を上方から覆わないように保管庫移動装置４により後退し、ゴミ収集用集積庫２がゴミ収集に使用中でない場合には、ゴミ収集用集積庫２の開閉扉１２を上方から覆うように保管庫移動装置４により前進する。【選択図】図１
2013212910.tif 000002
【特許請求の範囲】
【請求項１】
防災用品が内部に保管された防災用品保管庫と、
ゴミを収集する開閉扉を前面又は上面に有するゴミ収集用集積庫と、
ゴミ収集用集積庫に固定され、防災用品保管庫をゴミ収集用集積庫の上方で移動させる保管庫移動装置を介して防災用品保管庫に連結する連結部と、を備え、
防災用品保管庫は、ゴミ収集用集積庫がゴミ収集に使用されている場合には、ゴミ収集用集積庫の開閉扉を上方から覆わないように保管庫移動装置により後退し、ゴミ収集用集積庫がゴミ収集に使用されていない場合には、ゴミ収集用集積庫の開閉扉を上方から覆うように保管庫移動装置により前進することを特徴とする防災用品保管庫付きゴミ収集用集積庫。
【請求項２】
請求項１に記載の防災用品保管庫付きゴミ収集用集積庫であって、保管庫移動装置は、複数の棒状部と各棒状部に設けられた複数の回転体とから構成され、棒状部は一方に隣接する他の棒状部の内部に入れ子状に挿入可能であり、棒状部の内側又は外側に取り付けられた回転体が他の棒状部の内側壁面又は外側壁面を回転移動することで、保管庫移動装置が自在に伸縮して防災用品保管庫を移動させることを特徴とする防災用品保管庫付きゴミ収集用集積庫。
【請求項３】
請求項１又は２に記載の防災用品保管庫付きゴミ収集用集積庫であって、棒状部は、連結部と一体となってゴミ収集用集積庫に固定される固定棒状部と、防災用品保管庫に接続された接続棒状部とから構成され、接続棒状部は固定棒状部の内部に入れ子状に挿入され、固定棒状部の内側に取り付けられた２個の固定回転体が接続棒状部の外側を挟み込んで回転し、接続棒状部の外側に取り付けられた２個の接続回転体が固定棒状部の内側を挟み込んで回転することを特徴とする防災用品保管庫付きゴミ収集用集積庫。
【請求項４】
請求項３に記載の防災用品保管庫付きゴミ収集用集積庫であって、固定回転体は、固定棒状部において接続棒状部側の端部に設けられ、接続回転体は、接続棒状部において固定棒状部側の端部に設けられ、固定回転体と接続回転体とは所定の間隔だけ離間して設置されることを特徴とする防災用品保管庫付きゴミ収集用集積庫。
【請求項５】
請求項１又は２に記載の防災用品保管庫付きゴミ収集用集積庫であって、棒状部は、連結部と一体となってゴミ収集用集積庫に固定される固定棒状部と、防災用品保管庫に接続された接続棒状部と、固定棒状部と接続棒状部とを連結する連結棒状部とから構成され、連結棒状部は固定棒状部の内部に入れ子状に挿入され、固定棒状部の内側に取り付けられた２個の固定回転体が連結棒状部の外側を挟み込んで回転し、連結棒状部の外側に取り付けられた２個の連結回転体が固定棒状部の内側を挟み込んで回転し、接続棒状部は連結棒状部の内部に入れ子状に挿入され、連結棒状部の内側に取り付けられた２個の連結回転体が接続棒状部の外側を挟み込んで回転し、接続棒状部の外側に取り付けられた２個の接続回転体が連結棒状部の内側を挟み込んで回転することを特徴とする防災用品保管庫付きゴミ収集用集積庫。
【請求項６】
請求項５に記載の防災用品保管庫付きゴミ収集用集積庫であって、固定回転体は、固定棒状部において連結棒状部側の端部に設けられ、連結回転体は、連結棒状部において固定棒状部側の端部に設けられ、固定回転体と連結回転体とは所定の間隔だけ離間して設置され、連結回転体は、連結棒状部において接続棒状部側の端部に設けられ、接続回転体は、接続棒状部において連結棒状部側の端部に設けられ、接続回転体と連結回転体とは所定の間隔だけ離間して設置されることを特徴とする防災用品保管庫付きゴミ収集用集積庫。
【請求項７】
請求項１乃至６のいずれか１項に記載の防災用品保管庫付きゴミ収集用集積庫であって、保管庫移動装置の回転体は、ベアリングであることを特徴とする防災用品保管庫付きゴミ収集用集積庫。
【請求項８】
請求項１乃至７のいずれか１項に記載の防災用品保管庫付きゴミ収集用集積庫であって、防災用品保管庫の移動方向の奥行きは、ゴミ収集用集積庫の前記方向の奥行きの２倍を超える値であることを特徴とする防災用品保管庫付きゴミ収集用集積庫。
【請求項９】
請求項１乃至８のいずれか１項に記載の防災用品保管庫付きゴミ収集用集積庫であって、防災用品保管庫は、防災用品が収納される箱部と、箱部に対して開閉自在な蓋部から構成され、蓋部にも防災用品が収納されることを特徴とする防災用品保管庫付きゴミ収集用集積庫。
【発明の詳細な説明】
【技術分野】
【０００１】
本発明は、防災用品保管庫付きゴミ収集用集積庫に係り、特に、防災用品が内部に収納された防災用品保管庫が設置されたゴミ収集用集積庫に関する。
【背景技術】
【０００２】
家庭や店舗などから排出されたゴミを、ゴミ収集車が回収するまでの間にゴミを収納しておくゴミ収集用集積庫が普及しつつある。特に、アパート、マンション、集合住宅などでは複数の居住者が共用する大型の集積庫が設置されるケースが増加している。この大型の集積庫は、主としてステンレス鋼を加工して箱状に組立てて耐久性や耐候性が高く衛生的な仕様の集積庫が主流となっている。
【０００３】
特許文献１には、ゴミの収集口を道路側に向け、投入口を敷地側に向けて、ゴミの投入及び回収作業を安全・迅速に行えるようにしたゴミ収集用集積庫が開示されている。ここでは、本体の外側面上半部に開口部を形成し、これを塞ぐ扉パネルを上下動可能にガイドレールに掛止し、扉パネルで開口部を塞いだときに掛止する掛け具を扉パネルの上端左右に設け、受け具を本体平面の天板に設け、その平面の外側寄りに開口部を形成し、開口部を塞ぐ天板を他の天板に結合し、本体の内側面上半部に傾斜開口部を形成し、その開口部を塞ぐ傾斜扉パネルを開閉自在に内側枠体に結合し、内側面のうち、傾斜扉パネル寄りに開口部を形成し、その開口部を塞ぐ内側面パネルをガイド凹溝部に掛止すると共に上部に掛け具を設け、その受け具を内側枠体に設け、内側面板の下端と床面（14）との間に隙間を形成した構成であることが記載されている。
【０００４】
一方、例えば地震、津波、火事、台風、竜巻などの自然災害に対して、事前に防災用品を保管しておくことの重要性が認識されつつある。この防災用品には、例えば、救助用品、救護用品又は救急用品、生活用品、食糧、水などの備蓄品などが含まれる。そして、救助用品には、例えばバール、油圧ジャッキ、ハンマー、ブルーシート、軍手、スコップ又はシャベル、くぎ抜き、トンカチ、ロープなどが含まれる。また、救護用品又は救急用品としては、例えば救急セット、毛布、アルミシート、血圧計、ガーゼ、包帯などが含まれる。また、生活用品としては、例えばスリッパ、トイレット・ペーパー、乾電池、洗面用具、簡易トイレ、照明器具、ラジオ、ポリタンクなどが含まれる。さらに、備蓄品としては、例えばミネラルウォーター、非常食などが含まれる。
【０００５】
これらの防災用品のうち、例えば救急用品、生活用品、備蓄品などは、室内の一定の場所に保管しておくことができ、特に、持ち運び可能な救急箱、ショルダーバッグに詰め込んだ避難セットなどが市販されている。また、救命用品については、例えば屋外の倉庫、車庫、玄関などに保管しておくことができ、特に防災倉庫が市販されている。さらに、備蓄品は、主として地震災害に対応してミネラルウォーター、非常食などがセットになって販売されている。このように、防災用品には多様な種類があり、それぞれに対応した商品が販売されている。
【先行技術文献】
【特許文献】
【０００６】
【特許文献１】実用新案登録第３１０８０２８号公報
【発明の概要】
【発明が解決しようとする課題】
【０００７】
防災用品保管庫は、屋内に保管しておくよりも屋外に設置しているほうが好ましい。これは、自然災害が発生した際に迅速に救命活動が可能となるからである。しかし、防災用品保管庫は日常的には使用されないが、緊急時にはすぐにその保管場所が分からなければ意味がないという性質を持っている。従って、屋外でも使用者がその保管場所を常に認識している場所であることが好ましい。
【０００８】
また、アパート、マンション、集合住宅などにおいて複数の居住者が防災用品保管庫を共有する場合には、居住者が防災用品保管庫を容易に認識できる設置場所に設けておくことが重要である。これは、居住者は転居して交代する場合があり、申し送りなどにより新たな居住者に防災用品保管庫の位置を連絡していなくとも緊急時に問題が発生しないからである。
【０００９】
本願の目的は、かかる課題を解決し、自然災害が発生した際に活用する防災用品をよりアクセスし易く邪魔にならない場所に設置し、収納された防災用品を容易に取出し、かつ保管できる防災用品保管庫付きゴミ収集用集積庫を提供することである。
【課題を解決するための手段】
【００１０】
上記目的を達成するため、本発明に係る防災用品保管庫付きゴミ収集用集積庫は、防災用品が内部に保管された防災用品保管庫と、ゴミを収集する開閉扉を前面又は上面に有するゴミ収集用集積庫と、ゴミ収集用集積庫に固定され、防災用品保管庫をゴミ収集用集積庫の上方で移動させる保管庫移動装置を介して防災用品保管庫に連結する連結部と、を備え、防災用品保管庫は、ゴミ収集用集積庫がゴミ収集に使用されている場合には、ゴミ収集用集積庫の開閉扉を上方から覆わないように保管庫移動装置により後退し、ゴミ収集用集積庫がゴミ収集に使用されていない場合には、ゴミ収集用集積庫の開閉扉を上方から覆うように保管庫移動装置により前進することを特徴とする。
【００１１】
上記構成により、防災用品保管庫付きゴミ収集用集積庫は、防災用品が内部に保管された防災用品保管庫と、ゴミを投入して回収するゴミ収集用集積庫とを一箇所に連結して設置できる。すなわち、居住者が日常的にアクセスするゴミ収集用集積庫に、自然災害による緊急時に迅速にアクセスしなければならない防災用品保管庫を邪魔にならない場所に設置することが可能となる。また、防災用品保管庫は、ゴミ収集用集積庫がゴミ収集に使用されているか否かにより、ゴミ収集用集積庫の開閉扉を上方から覆わないように保管庫移動装置により後退するか、或いは前進させることができる。これにより、ゴミ収集用集積庫として使用する場合には防災用品保管庫は全く邪魔にならない。また、緊急時に防災用品保管庫として使用する場合には収納された防災用品を容易に取出すことができる。さらに、日常的に防災用品保管庫として安全に且つ衛生的に保管することが可能となる。
【００１２】
また、防災用品保管庫付きゴミ収集用集積庫は、保管庫移動装置が、複数の棒状部と各棒状部に設けられた複数の回転体とから構成され、棒状部が一方に隣接する他の棒状部の内部に入れ子状に挿入可能であり、棒状部の内側又は外側に取り付けられた回転体が他の棒状部の内側壁面又は外側壁面を回転移動することで、保管庫移動装置が自在に伸縮して防災用品保管庫を移動させることが好ましい。このように、保管庫移動装置は複数の棒状部と各棒状部に設けられた複数の回転体から構成され、回転体の回転移動により防災用品保管庫を容易に引出したり収納したりすることができる。つまり、防災用品保管庫に収納された防災用品を容易に取出し、かつ常時保管することができる。
【００１３】
また、防災用品保管庫付きゴミ収集用集積庫は、棒状部が、連結部と一体となってゴミ収集用集積庫に固定される固定棒状部と、防災用品保管庫に接続された接続棒状部とから構成され、接続棒状部が固定棒状部の内部に入れ子状に挿入され、固定棒状部の内側に取り付けられた２個の固定回転体が接続棒状部の外側を挟み込んで回転し、接続棒状部の外側に取り付けられた２個の接続回転体が固定棒状部の内側を挟み込んで回転することが好ましい。これにより、固定棒状部に接続される接続棒状部を容易に軸方向に回転移動させることができ、保管庫移動装置により防災用品保管庫を引出したり収納したりするという機能を発揮させることが可能となる。
【００１４】
また、防災用品保管庫付きゴミ収集用集積庫は、固定回転体が、固定棒状部において接続棒状部側の端部に設けられ、接続回転体は、接続棒状部において固定棒状部側の端部に設けられ、固定回転体と接続回転体とは所定の間隔だけ離間して設置されることが好ましい。これにより、防災用品保管庫の自重により棒状部に発生する曲げモーメントについて、隣接する棒状部に円滑にかつ安全に伝達することができる。
【００１５】
また、防災用品保管庫付きゴミ収集用集積庫は、棒状部が、連結部と一体となってゴミ収集用集積庫に固定される固定棒状部と、防災用品保管庫に接続された接続棒状部と、固定棒状部と接続棒状部とを連結する連結棒状部とから構成され、連結棒状部が固定棒状部の内部に入れ子状に挿入され、固定棒状部の内側に取り付けられた２個の固定回転体が連結棒状部の外側を挟み込んで回転し、連結棒状部の外側に取り付けられた２個の連結回転体が固定棒状部の内側を挟み込んで回転し、接続棒状部が連結棒状部の内部に入れ子状に挿入され、連結棒状部の内側に取り付けられた２個の連結回転体が接続棒状部の外側を挟み込んで回転し、接続棒状部の外側に取り付けられた２個の接続回転体が連結棒状部の内側を挟み込んで回転することが好ましい。これにより、棒状部が３本の場合であっても固定棒状部に接続される接続棒状部を容易に軸方向に回転移動させることができ、保管庫移動装置により防災用品保管庫を引出したり収納したりするという機能を発揮させることが可能となる。
【００１６】
また、防災用品保管庫付きゴミ収集用集積庫は、固定回転体が、固定棒状部において連結棒状部側の端部に設けられ、連結回転体が、連結棒状部において固定棒状部側の端部に設けられ、固定回転体と連結回転体とは所定の間隔だけ離間して設置され、連結回転体が、連結棒状部において接続棒状部側の端部に設けられ、接続回転体が、接続棒状部において連結棒状部側の端部に設けられ、接続回転体と連結回転体とは所定の間隔だけ離間して設置されることが好ましい。これにより、棒状部が３本の場合であっても防災用品保管庫の自重により棒状部に発生する曲げモーメントについて、隣接する棒状部に円滑にかつ安全に伝達することができる。
【００１７】
また、防災用品保管庫付きゴミ収集用集積庫は、保管庫移動装置の回転体がベアリングであることが好ましい。これにより、保管庫移動装置を屋外に配置しても円滑に、かつ故障することなく繰り返して引き出したり収納したりすることができる。
【００１８】
また、防災用品保管庫付きゴミ収集用集積庫は、防災用品保管庫の移動方向の奥行きがゴミ収集用集積庫の前記方向の奥行きの２倍を超える値であることが好ましい。これにより、ゴミ収集用集積庫と防災用品保管庫とを上下方向に連結しても、防災用品保管庫を保管庫移動装置により移動させて、ゴミ収集用集積庫と防災用品保管庫とが相互に邪魔にならないように独立して使用することができる。
【００１９】
さらに、防災用品保管庫付きゴミ収集用集積庫は、防災用品保管庫が、防災用品が収納される箱部と、箱部に対して開閉自在な蓋部から構成され、蓋部にも防災用品が収納されることが好ましい。これにより、防災用品保管庫の内部に効率的に防災用品を収納し、収納された防災用品を容易に取出すことができる。
【発明の効果】
【００２０】
以上のように、本発明に係る防災用品保管庫付きゴミ収集用集積庫によれば、自然災害が発生した際に活用する防災用品をよりアクセスし易く邪魔にならない場所に設置し、収納された防災用品を容易に取出し、かつ保管できる防災用品保管庫付きゴミ収集用集積庫を提供することができる。
【図面の簡単な説明】
【００２１】
【図１】本発明に係る防災用品保管庫付きゴミ収集用集積庫の１つの実施形態の概略構成を示す側面図である。
【図２】図１の防災用品保管庫付きゴミ収集用集積庫の正面図である。
【図３】図１の防災用品保管庫付きゴミ収集用集積庫の平面図である。
【図４】防災用品保管庫の内部を示す斜視図である。
【図５】保管庫移動装置を構成する固定棒状部、接続棒状部、及び連結棒状部の一つの実施例を示す側面図及び断面図である。
【図６】図５の棒状部を組み合わせた保管庫移動装置の側面図である。
【図７】保管庫移動装置による防災用品保管庫の移動位置を示す平面図である。
【発明を実施するための形態】
【００２２】
（防災用品保管庫付きゴミ収集用集積庫の構成）
以下に、図面を用いて本発明に係る防災用品保管庫付きゴミ収集用集積庫１の実施形態につき、詳細に説明する。図１に本発明に係る防災用品保管庫付きゴミ収集用集積庫１の１つの実施形態の概略構成を側面図で示す。また、図２に、図１の防災用品保管庫付きゴミ収集用集積庫１を正面図で示す。また、図３に、図１の防災用品保管庫付きゴミ収集用集積庫１を平面図で示す。さらに、図４に、防災用品保管庫３の内部を斜視図で示す。
【００２３】
防災用品保管庫付きゴミ収集用集積庫１は、ゴミ収集用集積庫２、防災用品保管庫３、及び、ゴミ収集用集積庫２と防災用品保管庫３とを連結する連結部１１から構成される。すなわち、新たに防災用品保管庫付きゴミ収集用集積庫１を製作する場合は、ゴミ収集用集積庫２、防災用品保管庫３、及び連結部１１がそれぞれ新たに製作される。一方、ゴミ収集用集積庫２は既に普及しているため、既に製作されたゴミ収集用集積庫２に更に防災用品保管庫３を設置する場合には、ゴミ収集用集積庫２に対して新たに連結部１１を介して防災用品保管庫３を取り付けることができる。
【００２４】
図１，図２に示すように、ゴミ収集用集積庫２は、ゴミを収集する開閉扉１２を前面又は上面に有する。また、防災用品保管庫３は、防災用品５が内部に保管される。さらに、連結部１１は、ゴミ収集用集積庫２に固定され、防災用品保管庫３をゴミ収集用集積庫２の上方で移動させる保管庫移動装置４を介して防災用品保管庫３に連結する。すなわち、防災用品保管庫３は、ゴミ収集用集積庫２の上方に設けられた連結部１１に取り付けられた保管庫移動装置４により上下方向に連結される。
【００２５】
ゴミ収集用集積庫２は、ゴミを収集するステンレス鋼製の集積庫２であり、屋外において４個の脚１６の上に設置される。このゴミ収集用集積庫２は、例えば、アパートやマンションなどの集合住宅において複数の居住者がゴミ箱として使用する。居住者は、ゴミ収集用集積庫２の裏面に設けられたゴミ投入口（図示せず）から、例えばゴミ袋などを投入する。そして、ゴミの回収業者がゴミ収集用集積庫２の前面から例えばゴミ袋などを回収する。従って、ゴミ収集用集積庫２の前面にゴミを収集する集積庫前面扉１２ａ，及び集積庫前面扉１２ａを開閉させる集積庫前面取手１３が備えられる。また、ゴミ収集用集積庫２の上面に集積庫上面扉１２ｂ、及び集積庫上面扉１２ｂを開閉させる集積庫上面取手１５が備えられる。但し、このゴミを収集するための扉１２や取手１３，１５については、この仕様や方式には限らない。
【００２６】
図１に、防災用品保管庫３について後方収納位置６に後退した状態を破線で示し、前方引出し位置７に前進した状態を実線で示す。防災用品保管庫３の移動方向の奥行き（Ｂ１）と、ゴミ収集用集積庫２の前記方向の奥行き（Ｂ２）との関係は、Ｂ２＝Ｂ１×２＋αである。ここに、“α”は、後方収納位置６にある防災用品保管庫３と、前方引出し位置７にある防災用品保管庫３との間隔である。防災用品保管庫３は、ゴミ収集用集積庫２がゴミ収集に使用されている場合には、ゴミ収集用集積庫２の開閉扉１２を上方から覆わないように保管庫移動装置４により後退する。つまり、防災用品保管庫３は、ゴミ収集用集積庫２を使用中の際には、ゴミ収集用集積庫２の後部側に後退することでゴミの収集作業を妨げない位置に移動する。一方、ゴミ収集用集積庫２がゴミ収集に使用されていない場合には、ゴミ収集用集積庫２の開閉扉１２を上方から覆うように保管庫移動装置４により前進する。つまり、防災用品保管庫３は、ゴミ収集用集積庫２を使用していない際には、ゴミ収集用集積庫２の前部側に前進して、防災用品５の使用が容易となるように設置される。
【００２７】
図２に示すように、防災用品保管庫３の前面側には「防災用品保管庫」という名称が表示されるのが好ましい。すなわち、例えばアパートやマンションなどの居住者がゴミ収集用集積庫２に日常的にアクセスする度に「防災用品保管庫」という表示により保管庫３の存在を認識することになる。この効果として、居住者は、自然災害の発生などによる緊急時に防災用品保管庫３に迅速にアクセスすることが可能となり、防災用品保管庫３をゴミ収集用集積庫２に連結して設置させることで、防災用品保管庫３の十分な活用が期待できる。
【００２８】
図４に示すように、防災用品保管庫３は、防災用品５を保管する箱部８、及び箱部８と蝶番１７により接続して開閉される蓋部９により構成される。そして、防災用品保管庫３の内部の箱部８には各種の箱部防災用品５ａが保管される。さらに、箱部８だけではなく蓋部９にも蓋部防災用品５ｂが収納されても良い。この蓋部９には、防災用品保管庫３の箱部８に対して蓋部９を開閉させる開閉用取手１０が設けられる。この開閉用取手１０は、防災用品保管庫３の移動方向の前面に設けられ、防災用品保管庫３の移動用取手１０として兼用される。
【００２９】
本実施形態では防災用品５は、下記の防災用具及び救急用品とするが、これらに限定されず使用者のオプションとすることもできる。防災用具の例としては、ボルトカッター、平バール、スコップ、大口ハンマー、大ハンマー、手回し懐中電灯・ラジオ付き、防災スリッパ、折込金属鋸、防塵用マスク、着火剤、ストロー浄水器、反射タスキ、釘抜きハンマー、軍手、ドライバー、トラロープ、ジャッキ、レインコート、簡単トイレセット、ヘルメット、ホイッスル、セイフティ−グラス、ブルーシートなどが含まれる。また、救急用品には、オキシドール、救急バン、マスク、ガーゼ、風邪薬、頭痛薬、はさみ、アルミシート、胃腸薬、保存水、タオルなどが含まれる。
【００３０】
（保管庫移動装置の構成）
図１〜図４に示すように、保管庫移動装置４は、防災用品保管庫３の両側から防災用品保管庫３を保持するように設けられる。この保管庫移動装置４はステンレス製の棒体である複数の棒状部１７から構成されるが、本実施形態では固定棒状部１７ａ，接続棒状部１７ｂ，及び連結棒状部１７ｃという３個の棒状部１７から構成される。但し、保管庫移動装置４は、３個の棒状部１７に限らず、例えば２個、或いは４個の棒状部１７により構成されても良い。
【００３１】
図５に、保管庫移動装置４を構成する各棒状部１７の一つの実施例を示す。図５（ａ）に、固定棒状部１７ａの側面及びＡ−Ａ断面を示し、図５（ｂ）に接続棒状部１７ｂの側面及びＢ−Ｂ断面を示し，図５（ｃ）には連結棒状部１７ｃのＣ−Ｃ断面を示す。また、図６に、図５の固定棒状部１７ａ，接続棒状部１７ｂ，及び連結棒状部１７ｃを組み合わせた保管庫移動装置４を側面で示す。つまり、接続棒状部１７ｂに連結棒状部１７ｃが入れ子状に収納され、さらに固定棒状部１７ａに接続棒状部１７ｂが入れ子状に収納される。また、図７に、保管庫移動装置４による防災用品保管庫３の移動位置を平面にて示す。図７（ａ）は、保管庫移動装置４が、図１に示す前方引出し位置７に引出された場合を示し、図７（ｂ）は、保管庫移動装置４が、図１に示す後方収納位置６に収納された場合をそれぞれ示す。
【００３２】
固定棒状部１７ａは、連結部１１と一体となってゴミ収集用集積庫２に固定される。すなわち、図２の連結部１１の断面に示されるように、連結部１１には、接続棒状部１７ｂ及び連結棒状部１７ｃを入れ子式に収納するようにチャンネル型の断面である固定棒状部１７ａが組み込まれている。また、接続棒状部１７ｂ及び連結棒状部１７ｃもそれぞれチャンネル型の断面であり、接続棒状部１７ｂ及び連結棒状部１７ｃは固定棒状部１７ａのチャンネル型の開口部に入れ子状に挿入可能となっている。そして、各棒状部１７の内側又は外側に取り付けられた回転体１８が他の棒状部１７の内側壁面又は外側壁面を回転移動することで、保管庫移動装置４が自在に引き出されたり収納されたりして防災用品保管庫３を移動させることが可能となる。
【００３３】
図６に示すように、固定棒状部１７ａには、固定回転体１８ａが連結棒状部１７ｃ側の固定棒状部１７ａの端部に上下２個設けられる。また、連結棒状部１７ｃには、連結回転体（外側）１８ｃが固定棒状部１７ａ側の連結棒状部１７ｃの端部に上下２個設けられ、連結回転体（内側）１８ｄが接続棒状部１７ｂ側の連結棒状部１７ｃの端部に上下２個が設けられる。さらに、接続棒状部１７ｂには、接続回転体１８ｂが連結棒状部１７ｃ側の接続棒状部１７ｂの端部に上下２個設けられる。このように、固定棒状部１７ａと連結棒状部１７ｃとは、固定回転体１８ａと連結回転体（外側）１８ｃとによる棒状部１７の挟み込みで接続される。同様に、接続棒状部１７ｂと連結棒状部１７ｃとは、接続回転体１８ｂと連結回転体（外側）１８ｃとによる棒状部１７の挟み込みで接続される。
【００３４】
この固定回転体１８ａと連結回転体（外側）１８ｃとは所定の間隔だけ離間して設置される。また、接続回転体１８ｂと連結回転体（外側）１８ｃとは所定の間隔だけ離間して設置される。つまり、所定の間隔だけ離間して設置された２箇所の支持点により、連結される２本の連結棒１７が相互に軸方向に移動すると共に、棒状部１７を曲げようとする力に対して２箇所の指示点で抵抗することができる。これにより、防災用品保管庫３の自重により棒状部１７に発生する曲げモーメントについて、隣接する棒状部１７に円滑にかつ安全に伝達することができる。
【００３５】
上述したのは保管庫移動装置４が３本の棒状体１７からなる実施例の場合であるが、他の実施例として、棒状部１７が固定棒状部１７ａ及び接続棒状部１７ｂの２本の棒状部１７から構成される場合を下記に示す。
【００３６】
固定棒状部１７ａには固定回転体１８ａが接続棒状部１７ｂ側の固定棒状部１７ａの端部に上下２個設けられる。また、接続棒状部１７ｂには接続回転体１８ｂが固定棒状部１７ａ側の接続棒状部１７ｂの端部に上下２個設けられる。このように、固定棒状部１７ａと接続棒状部１７ｂとは、固定回転体１８ａと接続回転体１８ｂとによる棒状部１７の挟み込みで接続される。
【００３７】
この固定回転体１８ａと接続回転体１８ｂとは所定の間隔だけ離間して設置される。つまり、所定の間隔だけ離間して設置された２箇所の支持点により、連結される２本の連結棒１７が相互に軸方向に滑ると共に、棒状部１７を曲げようとする力に対して２箇所の指示点で抵抗することができる。これにより、防災用品保管庫３の自重により棒状部１７に発生する曲げモーメントについて、隣接する棒状部１７に円滑にかつ安全に伝達することができる。
【００３８】
図７（ａ）に示すように、接続棒状部１７ｂは、接続金物２０により防災用品保管庫３に接続される。この接続金物２０は、防災用品保管庫３の側面の両端部でＬ字型の接続部を有し、接続棒状部１７ｂを防災用品保管庫３に接続させることができる。図７（ｂ）に示すように、保管庫移動装置４が後方収納位置６に収納された場合には、接続棒状部１７ｂは固定棒状部１７ａの内部に収納されるが、接続金物２０はそのままスライドして固定棒状部１７ａのチャンネル型の開口部に収納される。
【００３９】
保管庫移動装置４の回転体１８は、本実施形態ではベアリングであるが、例えば車輪などの他の回転体１８であっても良い。回転体１８としてベアリングを用いることで保管庫移動装置４を屋外に配置しても円滑に、かつ故障することなく繰り返して移動させることができる。
【符号の説明】
【００４０】
１  防災用品保管庫付きゴミ収集用集積庫、２  （ゴミ収集用）集積庫、３  （防災用品）保管庫、４  保管庫移動装置、５  防災用品，５ａ  箱部防災用品，５ｂ  蓋部防災用品、６  後方収納位置、７  前方引出し位置、８  箱部、９  蓋部、１０  移動用取手（開閉用取手）、１１  連結部、１２  開閉扉，１２ａ  集積庫前面扉，１２ｂ  集積庫上面扉、１３  集積庫前面取手、１４  蝶番、１５  集積庫上面取手、１６  脚、１７  棒状部，１７ａ  固定棒状部，１７ｂ  接続棒状部，１７ｃ  連結棒状部、１８  回転体，１８ａ  固定回転体，１８ｂ  接続回転体，１８ｃ  連結回転体（外側），１８ｄ  連結回転体（内側）、２０  接続金具。
【図１】
2013212910.tif 000003
【図２】
2013212910.tif 000004
【図３】
2013212910.tif 000005
【図４】
2013212910.tif 000006
【図５】
2013212910.tif 000007
【図６】
2013212910.tif 000008
【図７】
2013212910.tif 000009